(57)【特許請求の範囲】
【請求項１】
障害釘を植設した遊技盤の前面において、調整作業を施すべき障害釘が植設されている遊技盤の前面で、前記障害釘の周囲となる部位に、当該障害釘の軸部の根本部に写り込む範囲に明度の高い色彩を施して円形の模様を描き、前記障害釘の軸部と遊技盤面との間に現れる当該障害釘による陰影を明瞭に視認できるようにしたことを特徴とするパチンコ機。
【発明の詳細な説明】
【０００１】
【発明の属する技術分野】
本発明は、パチンコ機に関する。
【０００２】
【従来の技術】
通常、パチンコ機を設置した遊技店では、遊技盤の前面に植設した障害釘に調整作業を施すことで様々な営業形態を実現するようにしている。すなわち、始動口となる普通電動役物の直上に植設した命釘と称される障害釘や、普通電動役物に向けて遊技球を案内する一連の誘導釘と称される複数の障害釘に対してその向きや相互間隔を適宜変更すれば、これに応じて当該普通電動役物への遊技球の入賞率が変化するようになり、遊技店にとって有利となるパチンコ機や遊技者にとって有利となるパチンコ機等、それぞれの営業形態に即した任意のパチンコ機を作り出すことが可能となる。
【０００３】
上述した調整作業においては、障害釘が所望の状態となっているか否かを確認する作業がきわめて重要となる。この場合、遊技盤の正面に立ち、障害釘の頭部の位置が障害釘の根本部、つまり障害釘の軸部において遊技盤に打ち込まれた部分に対してどの程度ずれているかを目視によって判断する方法が広く一般的に用いられている確認作業である。
【０００４】
【発明が解決しようとする課題】
ところで、現在主流となっているパチンコ機のほとんどには、遊技盤の前面にセル版と称される樹脂製のフィルムが貼着してある。このセル版は、表面に様々な色彩を施してあるのが一般的であり、その華やかさから遊技の雰囲気を盛り上げ、興趣を高める一因となるものである。
【０００５】
しかしながら、こうしたセル版に施す色彩は、パチンコ機のモチーフに基づくデザインを最重要視したもので、必ずしもパチンコ機の保守性を考慮したものとはいえない。このため、上述した障害釘の確認作業を大きく妨げる一因となっているのもまた事実である。すなわち、障害釘の根本部は、セル版との間に現れる環状の陰影を介してその位置を確認するのであるが、セル版の色彩がそのまま写り込む構成であるため、例えば図４に示すように、当該セル版に環状の陰影と同様の明度をもった色彩が施された場合、その位置を視認することが困難となり、頭部とのずれ量を確認する作業の妨げとなるのである。
【０００６】
本発明は、上記実情に鑑みて、障害釘の調整作業を容易に実施することのできるパチンコ機を提供することを解決課題とする。
【０００７】
【課題を解決するための手段】
本発明では、障害釘を植設した遊技盤の前面において、調整作業を施すべき障害釘が植設されている遊技盤の前面で、前記障害釘の周囲となる部位に、当該障害釘の軸部の根本部に写り込む範囲に明度の高い色彩を施して円形の模様を描き、前記障害釘の軸部と遊技盤面との間に現れる当該障害釘による陰影を明瞭に視認できるようにしている。
【０００８】
【発明の実施の形態】
以下、実施の形態を示す図面に基づいて本発明を詳細に説明する。
図１は、本発明に係るパチンコ機の一実施形態を示す遊技盤の正面図である。ここで例示するパチンコ機１は、遊技盤２においてガイドレール３で囲まれる遊技領域４の中央部に特別図柄表示装置１０を備えるとともに、この特別図柄表示装置１０の下方域に普通電動役物１１、左右一対の始動手段１２、変動入賞装置１３および普通図柄表示装置１４を備えた、いわゆる第１種と称されるものである。
【０００９】
すなわち、遊技領域４に打ち出された遊技球が普通電動役物１１に入賞すると、特別図柄表示装置１０が可変表示を開始し、所定の可変時間の経過後に停止表示された図柄が予め定めた特定の態様となった場合に大当たりとなって特別遊技に移行し、常態において閉じている変動入賞装置１３が所定の開放パターンに従って開放するものである。普通電動役物１１は、遊技球が入賞し難い第一入賞状態と、遊技球が入賞し易い第二入賞状態とに変換する、いわゆる電動チューリップである。この普通電動役物１１は、常態において第一入賞状態に保持されている一方、始動手段１２への遊技球の入賞検出を契機として可変表示を行う普通電動役物１１が予め定めた図柄を停止表示した場合に所定の開放パターンで第二入賞状態となる。
【００１０】
このパチンコ機１の遊技盤２には、図２に示すように、基準となるベニヤ板２ａの前面にセル版２ｂと称される樹脂製のフィルムを貼着してあり、このセル版２ｂの上から多数の障害釘２０を植設してある。図１に示すように、これらの障害釘２０のうち、普通電動役物１１の直上に配置した２本の釘は、いわゆる命釘２０Ａと称されるものであり、またこれらの命釘２０Ａから左右方向に向けて漸次上方に傾斜するように配置した一連の釘は、いわゆる誘導釘２０Ｂと称されるものであり、それぞれ遊技店の望む営業形態を実現するための重要な役割をもっている。つまり、これら命釘２０Ａや誘導釘２０Ｂは、その向きや相互間隔を適宜変更する調整作業を施せば、これに応じて普通電動役物１１への遊技球の入賞率が変化するようになり、遊技店にとって有利となるパチンコ機や遊技者にとって有利となるパチンコ機等、それぞれの営業形態に即した任意のパチンコ機を作り出すことが可能となるものである。
【００１１】
図１からも明らかなように、本実施形態のパチンコ機１では、これら命釘２０Ａおよび誘導釘２０Ｂ、さらには誘導釘２０Ｂの上方域に配置する障害釘２０Ｃ等、普通電動役物１１の入賞率に大きな影響を与えるであろう障害釘２０を植設する部分に、それぞれ明度の高い色彩によって円形模様３０を描いてある。これらの円形模様３０は、その中心に障害釘２０を植設した場合に、少なくとも軸部２１の根本部に写り込む大きさのものであり、セル版２ｂを成形する際に描いてある。また明度の高い色彩とは、図３に示すように、障害釘２０の軸部２１とセル版２ｂとの間に現れる環状の陰影Ｓを明瞭に視認させることのできる明度をもった色彩のことであり、特に色相や彩度は問わない。例えば円形模様３０の周囲となる部分の色彩に対して明度を高めたり、あるいは円形模様３０の周囲となる部分の色彩に関わらず白抜きとしたりすればよい。なお、図には明示していないが、セル版２ｂにおいてその他の部分には、任意の色彩を施してある。
【００１２】
上記のように構成したパチンコ機１によれば、同図３からも明らかなように、他の部分に如何なる色彩が施されていたとしても、円形模様３０とこの円形模様３０が写り込んだ障害釘２０の軸部２１との間において、上述した環状の陰影Ｓを容易に視認し、これによって当該障害釘２０における根本部の位置を明確に特定することが可能となる。この結果、障害釘２０に調整作業を施した後、その根本部と頭部２２とのずれ量に基づいて当該障害釘２０が所望の状態となっているか否かを容易に確認できるようになる。しかも、上述した円形模様３０が調整作業を施すべき障害釘２０の位置を指示することになるため、上述した調整作業の正確性が増すようになる。
【００１３】
なお、上述した実施の形態では、いわゆる第１種のパチンコ機を例示しているが、必ずしも第１種のパチンコ機に限定されるものではなく、いわゆる第２種や第３種のパチンコ機にも同様に適用可能である。
【００１４】
また、上述した実施の形態では、明度の高い色彩としてセル版に円形の模様を描くようにしているが、必ずしも円形の模様である必要はなく、障害釘の軸部に写り込んだ場合に該障害釘の軸部と遊技盤の前面との間に現れる環状の陰影を明瞭に視認させることができるものであれば、その他の形態であっても構わない。例えば、遊技盤の前面すべてを明度の高い色彩としてもよい。なお、本発明は、遊技盤の前面にデザイン画を施すことを妨げるものではなく、上述した条件を満たすように遊技盤の前面にデザイン画を描くようにしてももちろんよい。
【００１５】
さらに、上述した実施の形態では、普通電動役物に関連した命釘および誘導釘等を調整すべき障害釘として例示しているが、その他の障害釘を調整すべき障害釘としてもよい。例えば実施形態のパチンコ機１においては、普通電動役物１１に関連した命釘２０Ａや誘導釘２０Ｂ、さらには誘導釘２０Ｂの上方域に配置する障害釘２０Ｃに加えて、始動手段１２に関連した命釘２０Ｄや誘導釘２０Ｅ、あるいは変動入賞装置１３に関連した命釘２０Ｆや誘導釘２０Ｇを調整すべき障害釘としてもよい。なお、明度の高い色彩を施す部位としては、必ずしも調整作業を施すべき障害釘の周囲となる部位に限らず、調整作業がまったく不要な障害釘を含めるようにしても構わない。
【００１６】
【発明の効果】
以上説明したように、本発明によれば、障害釘を植設した遊技盤の前面において、調整作業を施すべき障害釘が植設されている遊技盤の前面で、前記障害釘の周囲となる部位に、当該障害釘の軸部の根本部に写り込む範囲に明度の高い色彩を施して円形の模様を描き、前記障害釘の軸部と遊技盤面との間に現れる当該障害釘による陰影を明瞭に視認できるようにしているため、当該明度の高い色彩が軸部に写り込むこととなり、遊技盤の前面との間に現れる環状の陰影を介してその位置を明確、かつ容易に視認することが可能となり、当該障害釘が所望の状態となっているか否かを確認する作業もきわめて容易に行うことができるようになる。
【図面の簡単な説明】
【図１】本発明に係るパチンコ機の一実施形態を示す遊技盤の正面図である。
【図２】図１に示した遊技盤の拡大断面図である。
【図３】明度の高い色彩を施した遊技盤に対して障害釘を植設した状態を示す斜視図である。
【図４】明度の低い色彩を施した遊技盤に対して障害釘を植設した状態を示す斜視図である。
【符号の説明】
１      パチンコ機
２      遊技盤
３      ガイドレール
４      遊技領域
１０      特別図柄表示装置
１１      普通電動役物
１２      始動手段
１３      変動入賞装置
１４      普通図柄表示装置
２０      障害釘
２０Ａ，２０Ｂ，２０Ｃ    調整作業を施す障害釘
３０      円形模様
Ｓ      陰影
【図１】
0004618877.tif 000002
【図２】
0004618877.tif 000003
【図３】
0004618877.tif 000004
【図４】
0004618877.tif 000005